(57)【要約】【課題】内視鏡リプロセッサにおいて、付属品へのリプロセスが不要である場合に内視鏡に対してリプロセスを施すのに要する時間を短縮する。【解決手段】  本発明の内視鏡リプロセッサは、内視鏡の内部に流体を導入する第１流体導入部と、付属品ケースと、前記付属品ケース内に前記付属品が配置されているか否かを検知する検知部と、前記付属品ケースの内部に流体を導入する第２流体導入部と、流体を送出する流体送出部と、前記流体送出部から送出された流体のうちの少なくとも前記第２流体導入部に流入する流体の流量を制御する切替部と、前記検知部および前記切替部に接続されており、前記検知部が前記付属品ケースの内部に前記付属品が配置されていると検知した場合には、前記付属品ケースの内部に所定時間流体を導入するよう前記切替部を制御する制御部と、を含む。【選択図】図２
2016135190.tif 000002
【特許請求の範囲】
【請求項１】
内視鏡の内部に連通して前記内視鏡の内部に流体を導入する第１流体導入部と、
前記内視鏡から取り外した付属品を収容する付属品ケースと、
前記付属品ケースの内部に前記付属品が配置されているか否かを検知する検知部と、
前記付属品ケースの内部に連通して前記付属品ケースの内部に流体を導入する第２流体導入部と、
前記第１流体導入部および前記第２流体導入部に連通しており、流体を送出する流体送出部と、
前記流体送出部、前記第１流体導入部および前記第２流体導入部に接続されており、前記流体送出部から送出された流体の前記第２流体導入部に流入する流量を制御する切替部と、
前記検知部および前記切替部に接続されており、前記検知部が前記付属品ケースの内部に前記付属品が配置されていると検知した場合には、前記付属品ケースの内部に所定時間流体を導入するよう前記切替部を制御する制御部と、
を含むことを特徴とする内視鏡リプロセッサ。
【請求項２】
前記流体送出部から導出された送出管路、前記送出管路から分岐し前記第１流体導入部に連通する第１管路、および前記送出管路から分岐し前記第２流体導入部に連通する第２管路、を有し、
前記切替部は、前記第１管路、前記第２管路、または前記第１管路と前記第２管路とが交わる部分に配置されて、
前記流体送出部から送出された流体の方向を前記第１流体導入部および前記第２流体導入部の少なくとも一方に切り替えることを特徴とする請求項１に記載の内視鏡リプロセッサ。
【請求項３】
処理槽を有し、
前記内視鏡および前記付属品ケースは、前記処理槽内に配置されることを特徴とする請求項１に記載の内視鏡リプロセッサ。
【請求項４】
前記検知部は、電磁波を送受信することにより前記付属品ケースの内部に前記付属品が配置されているか否かを検知する電磁波センサを備え、
前記付属品ケースには前記電磁波を透過する窓部が設けられており、
前記電磁波センサは、前記付属品ケースの外部から前記窓部を通じて電磁波を送受信する位置に配置されていることを特徴とする請求項３に記載の内視鏡リプロセッサ。
【発明の詳細な説明】
【技術分野】
【０００１】
本発明は、内視鏡から取り外した付属品を収容する付属品ケースを有し、内視鏡とともに付属品にリプロセスを施す内視鏡リプロセッサに関する。
【背景技術】
【０００２】
医療分野において使用される内視鏡は、使用後に例えば洗浄液、消毒液および空気等の流体を用いたリプロセスが施される。内視鏡に対して自動的に流体を用いたリプロセスを施す装置として、例えば特開２０１１−２０６１５６号公報に開示されているような内視鏡リプロセッサが知られている。
【０００３】
特開２０１１−２０６１５６号公報に開示されている内視鏡リプロセッサは、使用後の内視鏡から取り外した例えば吸引ボタン、送気送水ボタン等の付属品を収容する付属品ケースと、付属品ケース内にリプロセス用の流体を導入する構成を有しており、内視鏡とともに付属品にも流体を用いたリプロセスを施す。
【先行技術文献】
【特許文献】
【０００４】
【特許文献１】特開２０１１−２０６１５６号公報
【発明の概要】
【発明が解決しようとする課題】
【０００５】
従来の内視鏡リプロセッサでは、付属品ケースの内部に付属品が収容されていない場合であっても、付属品ケースの内部にリプロセス用の流体を導入する工程が実行される。また、従来の内視鏡リプロセッサでは、内視鏡の管路等の内部に流体を導入する場合と、付属品ケースの内部に流体を導入する場合とで、同一のポンプおよびエアコンプレッサを用いており、流路を切り替えることで流体を導入する先を変更している。このような構成を有する従来の内視鏡リプロセッサでは、内視鏡の内部に流体を導入する工程と、付属品ケースの内部に流体を導入する工程とを同時に実行することができないため、付属品ケースの内部に付属品が収容されていない場合に付属品ケースの内部に流体を導入する工程を実行すると、無駄な時間が生じてしまう。
【０００６】
本発明は、上述した問題点を解決するものであって、内視鏡リプロセッサにおいて、付属品へのリプロセスが不要である場合に内視鏡に対してリプロセスを施すのに要する時間を短縮することを目的とする。
【課題を解決するための手段】
【０００７】
本発明の一態様による内視鏡リプロセッサは、内視鏡の内部に連通して前記内視鏡の内部に流体を導入する第１流体導入部と、前記内視鏡から取り外した付属品を収容する付属品ケースと、前記付属品ケースの内部に前記付属品が配置されているか否かを検知する検知部と、前記付属品ケースの内部に連通して前記付属品ケースの内部に流体を導入する第２流体導入部と、流体を送出する流体送出部と、前記流体送出部、前記第１流体導入部および前記第２流体導入部に接続されており、前記流体送出部から送出された流体を、前記第１流体導入部および前記第２流体導入部に案内し、前記流体送出部から送出された流体のうちの少なくとも前記第２流体導入部に流入する流体の流量を制御する切替部と、前記検知部および前記切替部に接続されており、前記検知部が前記付属品ケースの内部に前記付属品が配置されていると検知した場合には、前記付属品ケースの内部に所定時間流体を導入するよう前記切替部を制御する制御部と、を含む。
【発明の効果】
【０００８】
本発明によれば、内視鏡リプロセッサにおいて、付属品へのリプロセスが不要である場合に内視鏡に対してリプロセスを施すのに要する時間を短縮することができる。
【図面の簡単な説明】
【０００９】
【図１】内視鏡リプロセッサの概略的な構成を示す図である。
【図２】付属品ケース、切替部および検知部の構成の詳細を示す図である。
【図３】流体送出処理のフローチャートである。
【発明を実施するための形態】
【００１０】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。
【００１１】
以下に、本発明の実施形態の一例を説明する。内視鏡リプロセッサ１は、内視鏡および内視鏡の付属品の少なくとも一方に対して、洗浄液、消毒液および空気等の流体を用いたリプロセスを施す装置である。
【００１２】
図１に示すように、内視鏡リプロセッサ１は、制御部２、電源装置３、処理槽４、第１流体導入部５、第２流体導入部６、付属品ケース７、検知部８、流体送出部１０、および切替部１３を含む。
【００１３】
制御部２は、内視鏡リプロセッサ１の後述する各構成要素の動作を、所定のプログラムに基づいて制御する装置であり、例えば演算装置、記憶装置、補助記憶装置および入出力装置等を具備して構成されるコンピュータを含む。制御部２の制御については後述する。
【００１４】
電源装置３は、制御部２やその他の内視鏡リプロセッサ１の構成要素に電力を供給する。電源装置３は、商用電源等の外部から得た電力を各構成要素に供給する構成であってもよいし、一次電池、二次電池又は発電装置等の自らが電力を生じる構成であってもよい。
【００１５】
処理槽４は、上方に向かって開口する開口部を有した凹形状の部材であり、内部に内視鏡５０および後述する付属品ケース７を配置することができる。処理槽４は、内部に液体を貯留可能に構成されている。
【００１６】
処理槽４の上部には、開口部を開閉する蓋部材４ａが設けられている。処理槽４の下部には、循環口４ｂおよび排液口４ｃが設けられている。循環口４ｂおよび排液口４ｃは、処理槽４の底面又は底面近傍において開口する開口部である。循環口４ｂは、後述する循環管路２４に連通している。
【００１７】
排液口４ｃは、排液管路２９に連通している。排液管路２９には、排液管路２９を開閉する排液弁３０が設けられている。図示しないが、排液弁３０は、制御部２に接続されている。排液弁３０を開状態とすることにより、処理槽４内の液体は、排液口４ｃおよび排液管路２９を通って内視鏡リプロセッサ１の外部に排出される。
【００１８】
また、処理槽４の内部には、処理液導入ノズル４ｄ、循環ノズル４ｅ、第１流体導入部５および第２流体導入部６が設けられている。
【００１９】
処理液導入ノズル４ｄは、処理液管路２１を介して、液体である処理液を貯留する処理液貯留部２０に連通している。処理液管路２１には、処理液を処理液貯留部２０から処理液導入ノズル４ｄに向かって移送する処理液ポンプ２２が設けられている。図示しないが、処理液ポンプ２２は、制御部２に接続されている。処理液ポンプ２２を稼働することによって、処理液貯留部２０内の処理液が処理液導入ノズル４ｄから吐出され、処理槽４内に導入される。
【００２０】
なお、処理液導入ノズル４ｄ、処理液貯留部２０、処理液管路２１および処理液ポンプ２２の組み合わせを含む構成は、リプロセスに用いる処理液の種類の数に応じて配設される。例えば、リプロセスに洗浄液および消毒液の２種類の処理液を用いる場合には、内視鏡リプロセッサ１は、処理液貯留部２０、処理液管路２１および処理液ポンプ２２の組み合わせを、洗浄液用および消毒液用として２つ有する。
【００２１】
循環ノズル４ｅは、循環管路２４を介して循環口４ｂと連通している。循環ノズル４ｅと循環管路２４との間には、三方弁２６が配設されている。三方弁２６には、水導入管路２７の一端が接続されている。
【００２２】
図示しないが、三方弁２６は、制御部２に接続されている。三方弁２６は、循環ノズル４ｅと循環管路２４とを連通した状態、および循環ノズル４ｅと水導入管路２７とを連通した状態、を切り替えることができる。
【００２３】
水導入管路２７の他端は、水導入弁２８に接続されている。水導入弁２８は、液体である水道水を吐出する水道栓４０にホース４１を介して連通する。図示しないが、水導入弁２８は、制御部２に接続されている。水導入弁２８を開状態とし、三方弁２６を循環ノズル４ｅと水導入管路２７とを連通した状態とした場合には、水道水が循環ノズル４ｅから吐出され、処理槽４内に導入される。
【００２４】
循環管路２４には、循環ポンプ２５が設けられている。図示しないが、循環ポンプ２５は、制御部２に接続されている。三方弁２６を循環管路２４と循環ノズル４ｅとを連通した状態とし、循環ポンプ２５を稼働することによって、処理槽４内の液体は、循環口４ｂから吸い出された後に、循環管路２４および循環ノズル４ｅを経由して処理槽４内に戻る。すなわち、循環ポンプ２５の稼働により、処理槽４内と循環管路２４内を通って循環する液体の流れが生じる。
【００２５】
第１流体導入部５は、内視鏡５０の内部に連通し、内視鏡５０の内部に処理液や水道水等の液体および空気等のリプロセスに用いる流体を導入する部位である。流体は、後述する流体送出部１０から送出される。内視鏡５０の内部とは、例えば内視鏡５０が備える管路である。
【００２６】
本実施形態では一例として、第１流体導入部５は、接続チューブ５１を介して内視鏡５０の内部に連通する。接続チューブ５１の一端は内視鏡５０に着脱可能であり、他端は第１流体導入部５に着脱可能である。なお、第１流体導入部５は、接続チューブ５１を介さず内視鏡５０の内部に直接的に接続される構成であってもよい。
【００２７】
第２流体導入部６は、後述する付属品ケース７の内部に連通し、付属品ケース７の内部に処理液や水道水等の液体および空気等のリプロセスに用いる流体を導入する部位である。流体は、後述する流体送出部１０から送出される。
【００２８】
図２に示すように、付属品ケース７は、内部に内視鏡５０から取り外した付属品５２を収容する空間を有する。付属品５２とは、例えば、吸引ボタン、送気送水ボタン、鉗子栓等である。付属品ケース７には、内部に付属品５２を出し入れするための開口部７ａ、および内部と第１流体導入部５とを連通する接続口７ｂが設けられている。開口部７ａには、蓋７ｃを取り付けることができる。蓋７ｃは、付属品ケース７の内部に配置された付属品５２が外部に抜け出ることを防止し、かつ流体が通過する開口を有する。第２流体導入部６から付属品ケース７内に導入された流体は、付属品ケース７内において付属品５２を撹拌した後に、蓋７ｃを通過して処理槽４内に流れ出す。付属品ケース７は、第２流体導入部６に固定されていてもよいし、第２流体導入部６に着脱可能であってもよい。
【００２９】
図示する本実施形態では、付属品ケース７は鉢状の容器であり、開口部７ａに網目状の蓋７ｃが装着される。接続口７ｂは、付属品ケース７の底部に設けられている。なお、付属品ケース７の形状や、開口部７ａおよび接続口７ｂの配置位置は本実施形態に限られるものではない。
【００３０】
検知部８は、第２流体導入部６に連通している付属品ケース７の内部に付属品５２が配置されているか否かを検知する。検知部８は、制御部２に接続されており、検知部８による検知結果の情報は制御部２に入力される。
【００３１】
検知部８の構成は、付属品５２の存在の有無を検知可能なものであれば特に限定されるものではない。例えば検知部８は、近接センサによって構成される。近接センサは、例えば可視光や赤外光等の電磁波を付属品ケース７内に発信する発信部と、発信部から発信された電磁波を感知する受信部とを備え、受信部における付属品５２による前記電磁波の反射又は遮蔽による受信強度の変化に基づいて、付属品５２の存在の有無を検知する、いわゆるフォトセンサと称される電磁波センサの形態が知られている。
【００３２】
本実施形態では一例として、検知部８は、電磁波センサを含む。付属品ケース７には、電磁波センサが送受信する電磁波を透過するための窓部７ｄが設けられている。窓部７ｄは、貫通孔であってもよいし、例えば透明な材料のような電磁波センサが送受信する電磁波を透過する材料によって塞がれた孔であってもよい。
【００３３】
言い換えれば、検知部８は、処理槽４内において付属品ケース７を第２流体導入部６に連通させた状態において、付属品ケース７の外部から窓部７ｄを通じて電磁波を送受信する位置に配置されている。なお、付属品ケース７の全体が、例えば透明な材料のような電磁波センサが送受信する電磁波を透過する材料によって構成されていてもよい。
【００３４】
なお、検知部８に含まれる近接センサは、超音波を送受信する形態や、静電容量の変化を検知する形態等、他の形態のものであってもよい。また、付属品５２に磁性体が埋め込まれている場合には、検知部８に含まれる近接センサは、磁界の変化を検知する形態のものであってもよい。
【００３５】
また、検知部８は、例えば付属品ケース７内を撮影するカメラと、前記カメラによって撮影された画像を処理する画像処理装置を備え、画像認識によって付属品５２の存在の有無を検知する構成であってもよい。また、付属品５２がＲＦＩＤタグを備える場合には、検知部８は、ＲＦＩＤリーダを備え、ＲＦＩＤタグとの通信の可否に基づいて付属品５２の存在の有無を検知する構成であってもよい。
【００３６】
流体送出部１０は、流体を送出管路１０ｃに送出する部位である。送出管路１０ｃは、後述する切替部１３と流体送出部１０とを連通する。流体送出部１０が送出する流体の種類は特に限定されるものではなく、流体は、液体であってもよいし、気体であってもよいし、液体と気体が混合したものであってもよい。また、流体送出部１０が送出する流体の種類は、１つであってもよいし、複数であってもよい。
【００３７】
また、流体送出部１０への流体の供給の形態は特に限定されるものではない。流体送出部１０が送出する流体は、周囲の空気や水道水等の内視鏡リプロセッサ１の外部から供給されるものであってもよいし、処理槽４や処理液貯留部２０等の内視鏡リプロセッサ１の内部に貯留されているものであってもよい。
【００３８】
本実施形態では一例として、流体送出部１０は、送液ポンプ１０ａおよびエアコンプレッサ１０ｂを含む。送液ポンプ１０ａは、分岐管路１０ｄに設けられている。分岐管路１０ｄは、循環管路２４の循環口４ｂから循環ポンプ２５までの間の区間と、送出管路１０ｃの一端とを連通する。図示しないが、送液ポンプ１０ａは、制御部２に接続されている。送液ポンプ１０ａを稼働することによって、処理槽４内に貯留されている液体が、循環口４ｂ、循環管路２４および分岐管路１０ｄを経由して送出管路１０ｃ内に送出される。処理槽４内に貯留されている液体とは、本実施形態では例えば水道水又は処理液である。
【００３９】
エアコンプレッサ１０ｂは、吸気管路１０ｅに設けられている。吸気管路１０ｅは、一端が大気に開放され、他端が送出管路１０ｃに接続されている。図示しないが、エアコンプレッサ１０ｂは、制御部２に接続されている。エアコンプレッサ１０ｂを稼働することによって、空気が吸気管路１０ｅを経由して送出管路１０ｃ内に送出される。流体送出部１０は、アルコール水溶液を送出管路１０ｃに送出する構成を有していてもよい。
【００４０】
なお、本実施形態の流体送出部１０は、流体を所定の圧力で送出する構成である送液ポンプ１０ａおよびエアコンプレッサ１０ｂを備えるが、流体が内視鏡リプロセッサ１の外部から所定の圧力で供給される場合には、流体送出部１０はこれらの流体を所定の圧力で送出する構成を備えていなくともよい。この場合には、流体送出部１０は、外部から所定の圧力で供給された流体の送出管路１０ｃへの流入を制御する弁機構を含む。
【００４１】
切替部１３は、流体送出部１０、第１流体導入部５および第２流体導入部６に接続されており、流体送出部１０から送出された流体の第２流体導入部６への流入量を制御する。切替部１３は、制御部２に接続されており、制御部２から出力される指令信号に基づいて動作する。
【００４２】
切替部１３の配置位置としては、例えば第１管路１１、第２管路１２、または第１管路１１と第２管路１２とが交わる部分が挙げられる。切替部１３はこれらのうち１箇所に配置されていてもよいし、複数個所に亘って配置されていてもよいし、切替部１３が複数存在して複数の箇所にそれぞれ配置されていてもよい。
【００４３】
例えば、第１管路１１または第２管路１２に切替部１３が配置される場合、切替部１３として管路の開放と閉鎖とを切り替える開閉弁を用いることができる。また例えば、第１管路１１と第２管路１２とが交わる部分に切替部１３が配置される場合、切替部１３として流体の流路を切り替える三方弁を用いることができる。
【００４４】
切替部１３は、第２流体導入部６に流入する流体の流量を制御する構成であれば特に限定されるものではない。本実施形態では一例として、切替部１３は、流体送出部１０から第２流体導入部６に流体が流入する状態と、第２流体導入部６への流体の流入を遮断する状態と、の２つの状態を切り替える。なお、切替部１３が、流体送出部１０から第２流体導入部６に流体を流入させる状態にある場合において、第１流体導入部５への流体の流入は行われてもよいし、遮断されてもよい。
【００４５】
ここでいう流量の制御とは、流体を第２流体導入部６に導入するか導入しないかの制御であってもよいし、第２流体導入部６への流体の導入量を最小値から最大値まで変化させてゆく制御のいずれであってもよい。前記最小値とは例えば導入量ゼロである。
【００４６】
具体的には、図２に示すように、本実施形態の切替部１３は、第１流体導入部５と流体送出部１０の送出管路１０ｃとを連通する第１管路１１と、第２流体導入部６と流体送出部１０の送出管路１０ｃとを連通する第２管路１２と、第１管路１１を開閉する電磁開閉弁１３ａと、第２管路１２に設けられたリリーフ弁１３ｂと、を含む。電磁開閉弁１３ａは、制御部２に接続されており、制御部２から出力される指令信号に基づいて動作する。
【００４７】
リリーフ弁１３ｂは、送出管路１０ｃ側の流体の圧力が所定の値以下である場合には第２管路１２を閉塞し、送出管路１０ｃ側の流体の圧力が所定の値を超えた場合に第２管路１２を開状態とする。
【００４８】
流体送出部１０から流体を送出し、かつ電磁開閉弁１３ａが開状態である場合には、送出管路１０ｃ内の流体の圧力はリリーフ弁１３ｂが開状態となる値よりも低い。したがって、電磁開閉弁１３ａが開状態である場合には、第２管路１２がリリーフ弁１３ｂによって閉塞されるため、流体送出部１０から送出された流体は、第１管路１１を通って第１流体導入部５のみに流入する。
【００４９】
一方、流体送出部１０から流体を送出し、かつ電磁開閉弁１３ａが閉状態である場合には、送出管路１０ｃ内の流体の圧力がリリーフ弁１３ｂが開状態となる値を超える。したがって、電磁開閉弁１３ａが閉状態である場合には、第２管路１２が開放されるため、流体送出部１０から送出された流体は、第２管路１２を通って第２流体導入部６のみに流入する。
【００５０】
次に、制御部２による内視鏡リプロセッサ１の制御について説明する。図３は、内視鏡リプロセッサ１において、内視鏡５０の内部に流体を導入する流体送出処理のフローチャートである。
【００５１】
流体送出処理の実行時には、図１に示すように、内視鏡５０の内部と第１流体導入部５とが接続チューブ５１を介して連通しており、かつ付属品ケース７の内部と第２流体導入部６とが連通している。本実施形態においては、内視鏡５０の内部に液体である処理液又は水道水を導入する流体送出処理の実行には、図示しないが処理槽４内に液体が貯留されている。
【００５２】
流体送出処理が実行される際の目的は特に限定されるものではなく、例えば内視鏡５０の内部を洗浄および消毒するために処理液を内部に導入する場合、内視鏡５０の内部を水道水ですすぐために内部に水道水を導入する場合、および内視鏡５０の内部の水分を除去するために内部に空気を導入する場合、等において流体送出処理は実行される。
【００５３】
流体送出処理では、まずステップＳ１０において、検知部８により、第２流体導入部６に連通している付属品ケース７の内部に付属品５２が配置されているか否かを検知する。そして、ステップＳ１０において、検知部８が、付属品ケース７の内部に付属品５２が配置されていることを検知した場合には、ステップＳ１１に移行する。
【００５４】
ステップＳ１１では、流体送出部１０から流体を送出させるとともに、切替部１３を動作させることによって、第１流体導入部５に、流体を所定の流量で所定の時間導入する。本実施形態では、切替部１３の電磁開閉弁１３ａを開状態とした後に、流体送出部１０を所定の時間動作させる。ステップＳ１１の実行によって、内視鏡５０の内部に流体が所定の流量で所定の時間導入される。
【００５５】
次にステップＳ１２において、流体送出部１０から流体を送出させるとともに、切替部１３を動作させることによって、第２流体導入部６に、流体を所定の流量で所定の時間導入する。本実施形態では、切替部１３の電磁開閉弁１３ａを閉状態とした後に、流体送出部１０を所定の時間動作させる。ステップＳ１２の実行によって、付属品ケース７の内部に流体が所定の流量で所定の時間導入される。
【００５６】
なお、ステップＳ１１およびステップＳ１２の実行の順序は逆であってもよい。ステップＳ１１およびステップＳ１２の実行の後、流体送出処理を終了する。
【００５７】
なお、ステップＳ１１およびステップＳ１２は、それぞれを所定の回数に分割して交互に繰り返して実行される形態でもよい。ステップＳ１１およびステップＳ１２を交互に繰り返す場合には、それぞれを実行する回数は同一であってもよいし異なっていてもよい。
【００５８】
一方、ステップＳ１０において、検知部８が、付属品ケース７の内部に付属品５２が配置されていないことを検知した場合には、ステップＳ２１に移行する。ステップＳ２１では、流体送出部１０から流体を送出させるとともに、切替部１３を動作させることによって、第１流体導入部５に、流体を所定の流量で所定の時間導入する。本実施形態では、切替部１３の電磁開閉弁１３ａを開状態とした後に、流体送出部１０を所定の時間動作させる。ステップＳ２１の実行によって、内視鏡５０の内部に流体が所定の流量で所定の時間導入される。
【００５９】
ステップＳ２１の実行の後、流体送出処理を終了する。
【００６０】
以上に説明したように、本実施形態の内視鏡リプロセッサ１は、内視鏡５０の内部に連通して内視鏡５０の内部に流体を導入する第１流体導入部５と、内視鏡５０から取り外した付属品５２を収容する付属品ケース７と、付属品ケース７の内部に付属品５２が配置されているか否かを検知する検知部８と、付属品ケース７の内部に連通して付属品ケース７の内部に流体を導入する第２流体導入部６と、流体を送出する流体送出部１０と、流体送出部１０から送出された流体を、第１流体導入部５および第２流体導入部６に案内し、流体送出部１０から送出された流体のうちの少なくとも第２流体導入部６に流入する流体の流量を制御する切替部と、検知部８および切替部１３に接続されており、検知部８が付属品ケース７の内部に付属品５２が配置されていると検知した場合には、付属品ケース７の内部に所定時間流体を導入するよう切替部１３を制御する制御部２と、を含む。
【００６１】
このような構成を有する本実施形態の内視鏡リプロセッサ１は、内視鏡５０にリプロセスを施す際に、付属品ケース７の内部に付属品５２が収容されている場合にのみ、付属品ケース７内にリプロセス用の流体を所定時間導入する。言い換えれば、本実施形態の内視鏡リプロセッサ１は、内視鏡５０にリプロセスを施す際に、付属品ケース７の内部に付属品５２が収容されていない場合には、付属品ケース７内にリプロセス用の流体を導入する工程を実行しない。
【００６２】
このため、本実施形態の内視鏡リプロセッサは、従来の内視鏡リプロセッサのように、付属品ケースの内部に付属品が収容されていない場合であっても、付属品ケースの内部にリプロセス用の流体を導入する工程が実行して無駄な時間を生じてしまうことがない。よって、本発明に係る内視鏡リプロセッサ１は、付属品５２へのリプロセスが不要である場合に内視鏡５０に対してリプロセスを施すのに要する時間を短縮することが可能である。
【００６３】
なお、本発明は、上述した実施形態に限られるものではなく、請求の範囲および明細書全体から読み取れる発明の要旨或いは思想に反しない範囲で適宜変更可能であり、そのような変更を伴う内視鏡リプロセッサもまた本発明の技術的範囲に含まれるものである。
【産業上の利用可能性】
【００６４】
前述のように、本発明は、内視鏡から取り外した付属品を収容する付属品ケースを有する内視鏡リプロセッサに適用可能である。
【符号の説明】
【００６５】
１    内視鏡リプロセッサ、
２    制御部、
３    電源装置、
４    処理槽、
４ａ    蓋部材、
４ｂ    循環口、
４ｃ    排液口、
４ｄ    処理液導入ノズル、
４ｅ    循環ノズル、
５    第１流体導入部、
６    第２流体導入部、
７    付属品ケース、
７ａ    開口部、
７ｂ    接続口、
７ｃ    蓋、
７ｄ    窓部、
８    検知部、
１０    流体送出部、
１０ａ    送液ポンプ、
１０ｂ    エアコンプレッサ、
１０ｃ    送出管路、
１０ｄ    分岐管路、
１０ｅ    吸気管路、
１１    第１管路、
１２    第２管路
１３    切替部、
１３ａ    電磁開閉弁、
１３ｂ    リリーフ弁、
２０    処理液貯留部、
２１    処理液管路、
２２    処理液ポンプ、
２４    循環管路、
２５    循環ポンプ、
２６    三方弁、
２７    水導入管路、
２８    水導入弁、
２９    排液管路、
３０    排液弁、
４０    水道栓、
４１    ホース、
５０    内視鏡、
５１    接続チューブ、
５２    付属品。
【図１】
2016135190.tif 000003
【図２】
2016135190.tif 000004
【図３】
2016135190.tif 000005